(57)【要約】【課題】  照明ムラを抑制して、半透光性光拡散部材の保持性を良好なものとすることが出来、造形の自由度を向上させたメータ指針照明構造を提供する。【解決手段】  車両用メータ１０１の指針本体１３の内部に、指針１２の下方から指針回動軸部３に沿って照明光を導入すると共に、指針本体１３の指針回動軸部３が設けられた基部１３ｂには、少なくとも指針本体１３の先端１３ａ方向へ照明光を反射させる前側傾斜反射面１４ａを有する空隙部１４が開口形成されている。  また、空隙部１４に、半透光性光拡散部材８が、嵌着されている。  空隙部１４の傾斜反射面１４ａには、半透光性光拡散部材８の脚部８ｂの前面側を突き当てて保持する前部保持用当接面部１６が、傾斜反射面１４ａの一部を切り欠いて、一体に形成されている。【選択図】  図１
2005257293.tif 000002
【特許請求の範囲】
【請求項１】
計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、
前記空隙部の傾斜反射面には、前記半透光性光拡散部材の脚部前面側を突き当てて保持する保持用当接面部が、該傾斜反射面と一体に形成されていることを特徴とするメータ指針照明構造。
【請求項２】
計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、
前記空隙部には、前記傾斜反射面とは、前記指針回動軸を挟んで反対側に位置する後部傾斜反射面を設け、前記半透光性光拡散部材の脚部後面側を突き当てて保持する後部保持用当接面部が、該後部傾斜反射面と一体に形成されていることを特徴とするメータ指針照明構造。
【請求項３】
計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、
前記空隙部の傾斜反射面には、前記半透光性光拡散部材の脚部前面側を突き当てて保持する保持用当接面部が、該傾斜反射面と一体に形成されていると共に、前記傾斜反射面とは、前記指針回動軸を挟んで反対側に位置する後部傾斜反射面を設け、前記半透光性光拡散部材の脚部後面側を突き当てて保持する後部保持用当接面部が、該後部傾斜反射面と一体に形成されることにより、前記脚部の前後面が、前記一対の前後部保持用当接面で挟持されていることを特徴とするメータ指針照明構造。
【発明の詳細な説明】
【技術分野】
【０００１】
本発明は、車両用のメータ指針照明構造に関し、特に明度ムラを低減させることが出来る全長発光指針のメータ指針照明構造に関するものである。
【背景技術】
【０００２】
従来のメータ指針照明構造として、図５に示すようなものが知られている（例えば、特許文献１等参照）。
【０００３】
まず、構成から説明するとこのような従来のメータ指針照明構造では、計器としての車両用メータ１の指針２が、指針回動軸３を、文字板４に形成された挿通開口部５に回動可能に挿通されて設けられている。
【０００４】
この指針２の指針本体６は、透光性材料によって構成されていて、この指針２の下方に位置する文字板４の下面側４ａに設けられて、導光部材４ｂを介して導かれた光源９からの照明光が、前記指針回動軸部３の軸線方向に沿って、この指針本体６内に導入されるように構成されている。
【０００５】
この指針本体６の内部には、前記指針回動軸部３の上方位置に、側面視で、略三角形形状の空隙部７が、前記文字板４が延設される水平方向（紙面前後方向）に貫通するように形成されている。
【０００６】
そして、この空隙部７には、半透光性光拡散部材８が、嵌着されて設けられている。
【０００７】
この半透光性光拡散部材８には、上面側に凸曲面部８ａが形成されている。
【０００８】
次に、この従来のメータ指針照明構造の作用について説明する。
【０００９】
このように構成された図５に示す従来のメータ指針照明構造では、前記指針２の下方に位置する文字板４の下面側４ａに設けられた導光部材を介して導かれた光源からの照明光が、前記指針回動軸部３の軸線方向に沿って、この指針本体６内に導入される。
【００１０】
この照明光の一部は、前記傾斜反射面４ａによって、指針本体６の先端方向に向けて反射されて、この指針本体６の上面部６ａを略全長に渡り照明する。
【００１１】
また、この照明光のうち、前記指針回動軸部３の上方に向かう照明光は、前記半透光性光拡散部材８によって拡散されて、前記凸曲面部８ａを通過する照明光は、放射状に拡散されて、前記指針回動軸部３の上方では、真上面部６ｂが、略均一に照明される。
【特許文献１】実公平６−７３１１号公報（第１図，実施例）
【発明の開示】
【発明が解決しようとする課題】
【００１２】
このようなメータ指針照明構造では、図５中二点鎖線で示すように、前記半透光性光拡散部材８を安定させて、前記空隙部７内に嵌着させるため、底面部の前，後に一対のリブ部１０，１０を形成して、両側から、この半透光性光拡散部材８の脚部下端８ｂを挟持するものが知られている。
【００１３】
しかしながらこのようなものでは、前記リブ部１０が、照明光の通過する道筋に存在すると、このリブ部１０で、照明光が散乱してしまう。
【００１４】
このため、前記指針回動軸部３の上方の真上面部６ｂでは、略均一に照明することが困難であり、全長発光指針に適用し難かった。
【００１５】
また、この真上面部６ｂをキャップ部材で覆う構成を採用するメータ指針照明構造でも、真上面部６ｂの照明ムラを覆うような大径の前記キャップ部材を用いる必要があり、造形の自由度が損なわれるといった問題があった。
【００１６】
そこで、本発明は、照明ムラを抑制して、半透光性光拡散部材の保持性を良好なものとすることが出来、造形の自由度を向上させたメータ指針照明構造を提供することを目的としている。
【課題を解決するための手段】
【００１７】
前記目的を達成するために、請求項１の発明は、計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、前記空隙部の傾斜反射面には、前記半透光性光拡散部材の脚部前面側を突き当てて保持する保持用当接面部が、該傾斜反射面と一体に形成されているメータ指針照明構造を特徴としている。
【００１８】
また、請求項２に記載されたものは、計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、前記空隙部には、前記傾斜反射面とは、前記指針回動軸を挟んで反対側に位置する後部傾斜反射面を設け、前記半透光性光拡散部材の脚部後面側を突き当てて保持する後部保持用当接面部が、該後部傾斜反射面と一体に形成されているメータ指針照明構造を特徴としている。
【００１９】
更に、請求項３に記載されたものは、計器の指針本体の内部に、指針の下方から指針回動軸に沿って照明光を導入すると共に、前記指針本体の前記指針回動軸が設けられた基部には、少なくとも指針本体の先端方向へ前記照明光を反射させる傾斜反射面を有する空隙部を開口形成すると共に、該空隙部に、半透光性光拡散部材を嵌着させるメータ指針照明構造であって、前記空隙部の傾斜反射面には、前記半透光性光拡散部材の脚部前面側を突き当てて保持する保持用当接面部が、該傾斜反射面と一体に形成されていると共に、前記傾斜反射面とは、前記指針回動軸を挟んで反対側に位置する後部傾斜反射面を設け、前記半透光性光拡散部材の脚部後面側を突き当てて保持する後部保持用当接面部が、該後部傾斜反射面と一体に形成されることにより、前記脚部の前後面が、前記一対の前後部保持用当接面で挟持されているメータ指針照明構造を特徴としている。
【発明の効果】
【００２０】
このように構成された請求項１のものは、前記空隙部の傾斜反射面に、該傾斜反射面と一体に形成されている保持用当接面部が、前記半透光性光拡散部材の脚部前面側を突き当てて保持する。
【００２１】
保持用当接面部は、照明光の照光方向と、面延設方向とを一致させることができるので、照明光に対する影響を最小限とすることができる。
【００２２】
このため、別途リブを設けて保持する必要が無くなり、照明ムラを抑制して、半透光性光拡散部材の保持性を良好なものとすることが出来、造形の自由度を向上させることが出来る。
【発明を実施するための最良の形態】
【００２３】
以下、本発明の最良の実施の形態について図面を参照して説明する。
【００２４】
なお、前記従来例と同一乃至均等な部分については、同一符号を付して説明する。
【００２５】
図１及び図２は、本実施の形態によるメータ指針照明構造を示している。
【００２６】
まず、構成から説明すると、このような本実施の形態のメータ指針照明構造は、計器としての車両用メータ１の指針１２が、指針回動軸部３を、文字板４に形成された挿通開口部５に回動可能に挿通されて設けられている。
【００２７】
この指針１２の指針本体１３は、透光性材料によって構成されている。また、この指針１２の下方に位置する文字板４の下面側４ａには、図示省略の導光部材が設けられていて、光源から導かれた照明光が、前記指針回動軸部３の軸線方向に沿って、この指針本体１３内に導入されるように構成されている。
【実施例１】
【００２８】
実施例１のメータ指針照明構造では、この指針本体１３の内部には、前記指針回動軸部３が設けられた基部１３ｂの指針回動軸部３の上方位置に、側面視で、略三角形形状の空隙部１４が、前記文字板４が延設される水平方向に向けて左，右に貫通するように開口形成されている。
【００２９】
この空隙部１４には、指針本体１３の先端１３ａ方向へ前記照明光を反射させる傾斜反射面としての前側傾斜反射面１４ａと、底面部１４ｂと、指針本体１３の後端１３ｃ方向へ前記照明光を反射させる後側傾斜反射面１４ｃとを有している。
【００３０】
また、前記底面部１４ｂには、後側リブ部１４ｄが突設形成されている。
【００３１】
そして、前記前側傾斜反射面１４ａには、半透光性光拡散部材８の脚部下端８ｂの前面側を突き当てて保持する保持用当接面部１６が、この前側傾斜反射面１４ａの下縁部を、一部、縦方向に切り欠くように一体に形成されている。
【００３２】
この空隙部１４には、半透光性光拡散部材８が、嵌着されて設けられている。
【００３３】
この半透光性光拡散部材８には、上面側に凸曲面部８ａが形成されている。
【００３４】
また、この空隙部１４には、前記指針本体１３の先端１３ａ側には、延長空隙部１５が、延設されて形成されている。この延長空隙部１５の下面側に、傾斜反射面部１５ａが、設けられている。
【００３５】
更に、この延長空隙部１５の上面側には、型抜きスペース凹部１５ｂが凹設形成されている。
【００３６】
そして、半透光性光拡散部材８が、嵌着された状態では、前記脚部下端８ｂの前後面が、前記前部保持用当接面部１６と、前記後側リブ部１４ｄとの間に挟持されるように構成されている。
【００３７】
次に、この実施例１の作用について説明する。
【００３８】
この実施例１のメータ指針照明構造は、前記空隙部１４の前側傾斜反射面１４ａでは、この前側傾斜反射面１４ａと一体に形成されている保持用当接面部１６が、前記半透光性光拡散部材８の脚部下端８ｂ前面側を突き当てて、前記脚部下端８ｂの前後面が、前記前部保持用当接面部１６と、前記後側リブ部１４ｄとの間に挟持されるように保持される。
【００３９】
前部保持用当接面部１６は、照明光の照光方向と、面延設方向とを、上下方向として一致させることができるので、照明光に対する影響を最小限とすることができる。
【００４０】
このため、別途、前側にリブを設けて保持する必要が無くなり、リブを有するものに比して、照明光が通過する道筋にリブが存在することがなくなり、照明ムラが抑制される。
【００４１】
しかも、この実施例１では、前記指針本体１３の先端１３ａ方向へ照明光を反射させる前側傾斜反射面１４ａを指針回動軸３の近傍まで、同一傾斜角度で、円滑に延設形成出来る。このため、更に、照明ムラが抑制される。
【００４２】
また、半透光性光拡散部材８の脚部下端８ｂの前後面が、前記前部保持用当接面部１６と、前記後側リブ部１４ｄとの間に挟持されるので、保持性を良好なものとすることが出来る。
【００４３】
しかも、この実施例１では、前記半透光性光拡散部材８の脚部下端８ｂ前面側が、突きあてられる保持用当接面部１６が、上面視で、前記指針回動軸部３の内側に位置するように、回転中心からの半径方向距離が小さく設定されている。このため、例えば、真上面部３ｂを覆うような前記キャップ部材を用いる場合も、小径のものを用いれば良く、造形の自由度を向上させることが出来る。
【実施例２】
【００４４】
図３は、この発明の実施形態の実施例２のメータ指針照明構造を示すものである。
【００４５】
なお、前記実施例１と同一乃至均等な部分については、同一符号を付して説明する。
【００４６】
まず、構成から説明すると、この実施例２のメータ指針照明構造の指針１１２では、空隙部７に、前記実施例１の延長空隙部１５が、形成されていないものを示している。
【００４７】
この空隙部７には、指針本体１３の先端１３ａ方向へ前記照明光を反射させる傾斜反射面としての前側傾斜反射面７ａと、底面部１４ｂと、指針本体１３の後端１３ｃ方向へ前記照明光を反射させる後側傾斜反射面１４ｃとを有している。
【００４８】
また、前記底面部１４ｂには、後側リブ部１４ｄが突設形成されている。
【００４９】
そして、前記前側傾斜反射面１４ａには、半透光性光拡散部材８の脚部下端８ｂの前面側を突き当てて保持する保持用当接面部１６が、この前側傾斜反射面１４ａの下縁部を一部切り欠くように一体に形成されている。
【００５０】
他の構成、及び作用効果については、前記実施例１と同一乃至均等であるので、説明を省略する。
【実施例３】
【００５１】
図４は、この発明の実施形態の実施例３のメータ指針照明構造を示すものである。
【００５２】
なお、前記実施例１，２と同一乃至均等な部分については、同一符号を付して説明する。
【００５３】
まず、構成から説明すると、この実施例３のメータ指針照明構造の指針２１２では、実施例１の空隙部１４に、指針本体１３の後端１３ｃ方向へ前記照明光を反射させる後側傾斜反射面２１４ｃが、形成されている。
【００５４】
そして、前記後側傾斜反射面２１４ｃには、半透光性光拡散部材８の脚部下端８ｂの後面側を突き当てて保持する保持用当接面部２１６が、この前側傾斜反射面１４ａの下縁部を一部切り欠くように一体に形成されている。
【００５５】
従って、半透光性光拡散部材８が、嵌着された状態では、前記脚部下端８ｂの前後面が、前記前部保持用当接面部１６と、この前記後側保持用当接面部２１６との間に挟持されるように構成されている。
【００５６】
次に、この実施例３のメータ指針照明構造の作用効果について、説明する。
【００５７】
この実施例３のメータ指針照明構造では、前記実施例１，２の作用効果に加えて、更に、前記脚部下端８ｂの前後面が、前記前部保持用当接面部１６と、前記後側保持用当接面部２１６との間に挟持されるように保持される。
【００５８】
このうち、前記後側保持用当接面部２１６は、照明光の照光方向と、面延設方向とが、上下方向となり、一致されているので、照明光に対する影響を最小限とすることができる。
【００５９】
このため、真上面部６ｂから後端部６ｅまでの上面部６ａも、略均等に照明出来る。
【００６０】
他の構成、及び作用効果については、前記実施例１，２と同一乃至均等であるので、説明を省略する。
【００６１】
以上、図面を参照して、本発明の最良の実施の形態を詳述してきたが、具体的な構成は、この実施の形態に限らず、本発明の要旨を逸脱しない程度の設計的変更は、本発明に含まれる。
【００６２】
例えば、前記実施例３では、前記脚部下端８ｂの前後面が、前記前部保持用当接面部１６と、前記後側保持用当接面部２１６との間に挟持されるように構成されているが、前側を、リブ部１０として、前，後両側から挟持するようにしてもよい。
【図面の簡単な説明】
【００６３】
【図１】本発明の最良の実施の形態のメータ指針照明構造を示し、全体の構成を説明する指針本体の延設方向に沿った縦断面図である。
【図２】実施の形態のメータ指針照明構造を示し、要部の構成を説明する指針本体の延設方向に沿った縦拡大断面図である。
【図３】実施例２のメータ指針照明構造で、全体の構成を説明する指針本体の延設方向に沿った縦断面図である。
【図４】実施例３のメータ指針照明構造で、要部の構成を説明する指針本体の延設方向に沿った縦拡大断面図である。
【図５】従来例のメータ指針照明構造で、要部の構成を説明する指針本体の延設方向に沿った縦拡大断面図である。
【符号の説明】
【００６４】
３                              指針回動軸部
１２，１１２，２１２            指針
１３                            指針本体
１３ｂ                          基部
１４                            空隙部
１５                            延長空隙部
１５ａ                          傾斜反射面部
１６，２１６                    保持用当接面部
１０１                          車両用メータ（計器）
【図１】
2005257293.tif 000003
【図２】
2005257293.tif 000004
【図３】
2005257293.tif 000005
【図４】
2005257293.tif 000006
【図５】
2005257293.tif 000007